(57)【要約】【課題】情報機器に固有の機能の設定を遠隔制御することができる遠隔制御装置及びその方法、プログラム、並びに情報機器制御システムを提供する。【解決手段】コンピュータ１０３には、ビデオカメラ画面１０２を備えるビデオカメラ１０１が接続される。また、コンピュータ１０３は、コンピュータ画面１０６及びポインティングデバイス１０４を備え、ビデオカメラ画面１０２をコンピュータ画面１０６に隣接した仮想ビデオカメラ画面１０７として仮想的に配置する。ポインティングデバイス１０４により仮想ビデオカメラ画面１０７内をポインティングすると、コンピュータ１０３はポインティングデバイス１０４から取得した座標データ及びクリックボタン１０９の状態等のポイント情報を逐次ビデオカメラ１０１に送信する。【選択図】図１
2008010932.tif 000002
【特許請求の範囲】
【請求項１】
第１の表示画面を備える情報機器に接続されると共に、第２の表示画面を備える遠隔制御装置において、
前記第１の表示画面内の任意の位置を示す位置情報を入力する位置情報入力手段と、
前記入力された位置情報を前記情報機器に送信する位置情報送信手段とを備えることを特徴とする遠隔制御装置。
【請求項２】
前記位置情報入力手段は、前記第２の表示画面の外側に前記第１の表示画面を仮想的に配置する配置手段を備えることを特徴とする請求項１記載の遠隔制御装置。
【請求項３】
前記位置情報入力手段は、前記第１の表示画面の画面データを取得する取得手段と、前記取得した画面データに基づいて前記第１の表示画面を前記第２の表示画面内に表示する画面表示手段とを備えることを特徴とする請求項１記載の遠隔制御装置。
【請求項４】
文字情報を入力する文字情報入力手段と、前記入力された文字情報を前記情報機器に送信する文字情報送信手段とを備えることを特徴とする請求項１乃至３のいずれか１項に記載の遠隔制御装置。
【請求項５】
第１の表示画面を備える情報機器に接続されると共に、第２の表示画面を備える遠隔制御装置の遠隔制御方法において、
前記第１の表示画面内の任意の位置を示す位置情報を入力する位置情報入力ステップと、
前記入力された位置情報を前記情報機器に送信する位置情報送信ステップとを備えることを特徴とする遠隔制御方法。
【請求項６】
前記位置情報入力ステップは、前記第２の表示画面の外側に前記第１の表示画面を仮想的に配置する配置ステップを備えることを特徴とする請求項５記載の遠隔制御方法。
【請求項７】
前記位置情報入力ステップは、前記第１の表示画面の画面データを取得する取得ステップと、前記取得した画面データに基づいて前記第１の表示画面を前記第２の表示画面内に表示する画面表示ステップとを備えることを特徴とする請求項５記載の遠隔制御方法。
【請求項８】
文字情報を入力する文字情報入力ステップと、前記入力された文字情報を前記情報機器に送信する文字情報送信ステップとを備えることを特徴とする請求項５乃至７のいずれか１項に記載の遠隔制御方法。
【請求項９】
第１の表示画面を備える情報機器に接続されると共に、第２の表示画面を備える遠隔制御装置で実行されるプログラムにおいて、
前記第１の表示画面内の任意の位置を示す位置情報を入力する位置情報入力モジュールと、
前記入力された位置情報を前記情報機器に送信する位置情報送信モジュールとを備えることを特徴とするプログラム。
【請求項１０】
前記位置情報入力モジュールは、前記第２の表示画面の外側に前記第１の表示画面を仮想的に配置する配置モジュールを備えることを特徴とする請求項９記載のプログラム。
【請求項１１】
前記位置情報入力モジュールは、前記第１の表示画面の画面データを取得する取得モジュールと、前記取得した画面データに基づいて前記第１の表示画面を前記第２の表示画面内に表示する画面表示モジュールとを備えることを特徴とする請求項９記載のプログラム。
【請求項１２】
文字情報を入力する文字情報入力モジュールと、前記入力された文字情報を前記情報機器に送信する文字情報送信モジュールとを備えることを特徴とする請求項９乃至１１のいずれか１項に記載のプログラム。
【請求項１３】
第１の表示画面を備える情報機器と、前記情報機器に接続されると共に第２の表示画面を備える遠隔制御装置とを備える情報機器制御システムにおいて、
前記遠隔制御装置は、前記第１の表示画面内の任意の位置を示す位置情報を入力する位置情報入力手段と、前記入力された位置情報を前記情報機器に送信する位置情報送信手段とを備え、
前記情報機器は、前記情報機器の動作を制御するための制御メニューを前記第１の表示画面に表示する制御メニュー表示手段と、前記送信された位置情報を受信する位置情報受信手段と、前記制御メニュー及び前記受信した位置情報に基づいて前記情報機器の動作を制御する制御手段とを備えることを特徴とする情報機器制御システム。
【請求項１４】
前記位置情報入力手段は、前記第２の表示画面の外側に前記第１の表示画面を仮想的に配置する配置手段を備えることを特徴とする請求項１３記載の情報機器制御システム。
【請求項１５】
前記位置情報入力手段は、前記第１の表示画面の画面データを取得する取得手段と、前記取得した画面データに基づいて前記第１の表示画面を前記第２の表示画面内に表示する画面表示手段とを備えることを特徴とする請求項１３記載の情報機器制御システム。
【請求項１６】
前記遠隔制御装置は、文字情報を入力する文字情報入力手段と、前記入力された文字情報を前記情報機器に送信する文字情報送信手段とを備え、
前記情報機器は、前記送信された文字情報を受信する文字情報受信手段と、前記受信した文字情報を前記第１の表示画面に表示する文字情報表示手段と、前記受信した文字情報を記憶する記憶手段とを備えることを特徴とする請求項１５記載の情報機器制御システム。
【発明の詳細な説明】
【技術分野】
【０００１】
本発明は、遠隔制御装置及びその方法、プログラム、並びに情報機器制御システムに関し、特に、情報機器を遠隔制御する遠隔制御装置及びその方法、プログラム、並びに情報機器制御システムに関する。
【背景技術】
【０００２】
従来より、ビデオカメラにIEEE1394やUSB等のインタフェース介して接続され、ビデオカメラの動作（録画、再生、停止等）の遠隔制御や、ビデオカメラと映像データの送受信を行うコンピュータが知られている。
【０００３】
このようなコンピュータは、制御ソフトを実行することにより、ビデオカメラの制御ウィンドウをコンピュータ画面上に表示する。この制御ウィンドウは、ビデオカメラを操作するための再生ボタン及び停止ボタン等の操作ボタンを備える。オペレータがこの操作ボタンをコンピュータが備えるポインティングデバイスを用いてクリックすると、コンピュータは制御ソフトの制御によりコマンドを発行し、ビデオカメラに所定のプロトコルでコマンドを送信する。ビデオカメラは、コンピュータから送信されたコマンドに従って動作する。例えば、オペレータが再生ボタンをポインティングデバイスを用いてクリックすると、コンピュータは再生コマンドを発行してインタフェースを介してビデオカメラに送信する。ビデオカメラは、コンピュータから送信された再生コマンドに従ってビデオの再生を開始する。
【発明の開示】
【発明が解決しようとする課題】
【０００４】
しかしながら、上記従来の制御ソフトは、標準規格に準拠して作られているのが一般的である。そのため、従来の制御ソフトにより発行可能なコマンドは、ビデオカメラの基本的な機能、例えば再生、早送り、巻き戻し、停止等に限られ、ビデオカメラに固有の機能、例えば電子シャッターのスピード設定等は、コンピュータから遠隔制御することができない。従って、ビデオカメラに固有の機能を設定するためには、ビデオカメラ本体を操作しなければならないが、コンピュータ操作の合間にビデオカメラ操作を行うのは煩雑である。そこで、コンピュータ操作だけでビデオカメラに固有の機能を設定可能にすることが望まれている。
【０００５】
また、ビデオカメラにはタイトル文字等、文字入力により設定する項目があるが、従来の制御ソフトではコンピュータから文字入力を行うことができない。ビデオカメラに実装できる操作ボタンの数は限られているため、ビデオカメラに実装された操作ボタンを用いてひらがなを１文字づつ選択して入力する場合は、非常にわずらわしい操作を必要とする。そこで、コンピュータからビデオカメラへの文字入力を可能にすることが望まれている。
【０００６】
本発明の第１の目的は、情報機器に固有の機能の設定を遠隔制御することができる遠隔制御装置及びその方法、プログラム、並びに情報機器制御システムを提供することにある。
【０００７】
本発明の第２の目的は、情報機器への文字入力を行うことができる遠隔制御装置及びその方法、プログラム、並びに情報機器制御システムを提供することにある。
【課題を解決するための手段】
【０００８】
上述の目的を達成するために、請求項１記載の遠隔制御装置は、第１の表示画面を備える情報機器に接続されると共に、第２の表示画面を備える遠隔制御装置において、前記第１の表示画面内の任意の位置を示す位置情報を入力する位置情報入力手段と、前記入力された位置情報を前記情報機器に送信する位置情報送信手段とを備えることを特徴とする。
【０００９】
上述の目的を達成するために、請求項５記載の遠隔制御方法は、第１の表示画面を備える情報機器に接続されると共に、第２の表示画面を備える遠隔制御装置の遠隔制御方法において、前記第１の表示画面内の任意の位置を示す位置情報を入力する位置情報入力ステップと、前記入力された位置情報を前記情報機器に送信する位置情報送信ステップとを備えることを特徴とする。
【００１０】
上述の目的を達成するために、請求項９記載のプログラムは、第１の表示画面を備える情報機器に接続されると共に、第２の表示画面を備える遠隔制御装置で実行されるプログラムにおいて、前記第１の表示画面内の任意の位置を示す位置情報を入力する位置情報入力モジュールと、前記入力された位置情報を前記情報機器に送信する位置情報送信モジュールとを備えることを特徴とする。
【００１１】
上述の目的を達成するために、請求項１３記載の情報機器制御システムは、第１の表示画面を備える情報機器と、前記情報機器に接続されると共に第２の表示画面を備える遠隔制御装置とを備える情報機器制御システムにおいて、前記遠隔制御装置は、前記第１の表示画面内の任意の位置を示す位置情報を入力する位置情報入力手段と、前記入力された位置情報を前記情報機器に送信する位置情報送信手段とを備え、前記情報機器は、前記情報機器の動作を制御するための制御メニューを前記第１の表示画面に表示する制御メニュー表示手段と、前記送信された位置情報を受信する位置情報受信手段と、前記制御メニュー及び前記受信した位置情報に基づいて前記情報機器の動作を制御する制御手段とを備えることを特徴とする。
【発明の効果】
【００１２】
本発明によれば、遠隔制御装置は、第１の表示画面内の任意の位置を示す位置情報を入力し、入力された位置情報を情報機器に送信するので、情報機器に固有の機能の設定を遠隔制御することができる。
【００１３】
また、本発明によれば、遠隔制御装置は、文字情報を入力し、入力された文字情報を情報機器に送信するので、情報機器への文字入力を行うことができる。
【発明を実施するための最良の形態】
【００１４】
以下、本発明の実施の形態を図面を参照しながら詳述する。
【００１５】
図１は、本発明の第１の実施の形態に係る情報機器制御システムの構成を示す図である。
【００１６】
図１において、本実施の形態に係る情報機器制御システムは、コンピュータ１０３、及びコンピュータ１０３にIEEE1394インタフェース１０８を介して接続されたビデオカメラ１０１を備える。
【００１７】
コンピュータ１０３は、ポインティングデバイス１０４、文字入力デバイス１０５、及びコンピュータ画面１０６を備える。ビデオカメラ１０１は、ビデオカメラ画面１０２を備える。
【００１８】
ポインティングデバイス１０４は、コンピュータ画面１０６に表示されたポインティングマークにより、コンピュータ画面１０６内をポインティングするために用いられる。また、ポインティングデバイス１０４は、ポインティングした位置を選択するためのクリックボタン１０９を備える。文字入力デバイス１０５は、文字情報を入力するために用いられる。
【００１９】
コンピュータ１０３及びビデオカメラ１０１では、それぞれ画面制御プログラムが動作している。この画面制御プログラムは、ビデオカメラ１０１がコンピュータ１０３に接続されたときに、ビデオカメラ画面１０２をコンピュータ画面１０６に隣接した仮想ビデオカメラ画面１０７として仮想的に配置する後述する図２の画面制御処理を行う。
尚、ビデオカメラ１０１は、IEEE1394インタフェース１０８を介してコンピュータ１０３に接続されているとしたが、これに限定されるものではなく、USBインタフェースを介してコンピュータ１０３に接続されてもよい。
【００２０】
図２は、図１の情報機器制御システムで実行される画面制御処理の手順を示す図である。
【００２１】
図２において、まず、ビデオカメラ１０１がコンピュータ１０３にIEEE1394インタフェース１０８を介して接続されると、ビデオカメラ１０１は、コンピュータ１０３にビデオカメラ画面１０２の画面サイズ情報を送信する。コンピュータ１０３は、ビデオカメラ１０１から送信されたビデオカメラ画面１０２の画面サイズ情報を受信する。この画面サイズ情報により、ポインティングデバイス１０４がポインティングすべき範囲が決定される。
【００２２】
次に、コンピュータ画面１０６の位置に対する仮想ビデオカメラ画面１０７の配置位置を決定する。この配置位置は、予め設定された配置位置、又はユーザがポインティングデバイス１０４又は文字入力デバイス１０５等を用いて指定した配置位置が適用される。図１では、一例として、仮想ビデオカメラ画面１０７は、コンピュータ画面１０６の左上に配置されている。コンピュータ１０３は、ビデオカメラ１０１から取得した画面サイズ情報及び決定された仮想ビデオカメラ画面１０７の配置位置に基づいて、仮想ビデオカメラ画面１０７を作成する。
【００２３】
通常、ポインティングデバイス１０４は、コンピュータ画面１０６に表示されたポインティングマークにより、コンピュータ画面１０６内のみをポインティングする。仮想ビデオカメラ画面１０７が作成された場合は、図１に示すように、ポインティングデバイス１０４は、コンピュータ画面１０６内及び仮想ビデオカメラ画面１０７内を連続的にポインティングすることができる。
【００２４】
ポインティングデバイス１０４により仮想ビデオカメラ画面１０７内をポインティングすると、コンピュータ１０３はポインティングデバイス１０４から取得した座標データ及びクリックボタン１０９の状態等のポイント情報を逐次ビデオカメラ１０１に送信する。ビデオカメラ１０１はコンピュータ１０３からポイント情報を受信し、該ポイント情報に含まれる座標データに基づいてビデオカメラ画面１０２内の対応する座標位置にポインティングマークを表示する。また、ビデオカメラ１０１は、受信したポイント情報に含まれるクリックボタン１０９の状態に基づいて、クリックボタン１０９が押下された際のメニュー処理等を行う。
【００２５】
図３は、図１におけるビデオカメラ画面１０２を示す図である。
【００２６】
図３において、ビデオカメラ画面１０２には、制御メニュー３００が表示されている。この制御メニュー３００では、ビデオカメラ１０１の動作の制御が可能である。例えば、制御メニュー３００において、ポインティングデバイス１０４により再生ボタン３０１をポインティングしてクリックボタン１０９を押下すると、ビデオカメラ１０１はビデオの再生を開始する。また、ポインティングデバイス１０４により停止ボタン３０２をポインティングしてクリックボタン１０９を押下すると、ビデオカメラ１０１はビデオの再生を停止する。また、ポインティングデバイス１０４により録画ボタン３０３をポインティングしてクリックボタン１０９を押下すると、ビデオカメラ１０１はビデオの録画を開始する。
【００２７】
また、制御メニュー３００において、ポインティングデバイス１０４によりカメラタブ３０４をポインティングしてクリックボタン１０９を押下すると、図４に示すように、制御メニュー３００から制御メニュー４００に切り替る。この制御メニュー４００では、カメラモードの設定が可能である。例えば、制御メニュー４００において、ポインティングデバイス１０４により設定スライダー４０１をドラッグすることにより、ビデオカメラ１０１の電子シャッターのスピードを設定することができる。
【００２８】
また、制御メニュー３００において、ポインティングデバイス１０４により全般タブ３０５をポインティングしてクリックボタン１０９を押下すると、図５に示すように、制御メニュー３００から制御メニュー５００に切り替る。この制御メニュー５００では、ビデオタイトル等の設定が可能である。
【００２９】
例えば、制御メニュー５００には、ビデオタイトルを文字入力可能な文字入力エリア５０１が設けられている。ポインティングデバイス１０４により文字入力エリア５０１をポインティングしてクリックボタン１０９を押下すると、文字入力エリア５０１内のカーソル５０２が点滅し、文字入力モードに入ったことが表示される。この時、ビデオカメラ１０１からコンピュータ１０３に対しても文字入力モードに入ったことが通知される。ユーザが文字入力デバイス１０５を用いて文字情報を入力すると、コンピュータ１０３は、文字入力デバイス１０５を用いて入力された文字情報をビデオカメラ１０１に送信する。ビデオカメラ１０１はコンピュータ１０３から送信された文字情報を受信して、その文字情報をビデオカメラ画面１０２の文字入力エリア５０１に表示すると共に、その文字情報をビデオタイトルの文字として設定する。
【００３０】
第１の実施の形態によれば、コンピュータ１０３はポインティングデバイス１０４から取得した座標データ及びクリックボタン１０９の状態等のポイント情報を逐次ビデオカメラ１０１に送信する。これにより、コンピュータ１０３は、ビデオカメラ画面１０２に表示された制御メニュー３００，４００を用いて、ビデオカメラ１０１の基本的な動作のみならず、カメラモードの設定等のビデオカメラ１０１に固有の機能の設定を遠隔制御することができる。
【００３１】
また、第１の実施の形態によれば、コンピュータ１０３は、文字入力デバイス１０５を用いて入力された文字情報をビデオカメラ１０１に送信する。ビデオカメラ１０１はコンピュータ１０３から送信された文字情報を受信して、その文字情報をビデオカメラ画面１０２の文字入力エリア５０１に表示すると共に、その文字情報をビデオタイトルの文字として設定する。これにより、コンピュータ１０３は、情報機器への文字入力を行うことができる。
【００３２】
尚、制御メニュー３００，４００，５００は、ビデオカメラ画面１０２内又はコンピュータ画面１０６内の所定位置をポインティングしたときにのみ、ビデオカメラ画面１０２に自動的に表示させるようにしてもよい。
【００３３】
図６は、本発明の第２の実施の形態に係る情報機器制御システムの構成を示す図である。
【００３４】
図６において、本実施の形態に係る情報機器制御システムは、コンピュータ６０３、及びコンピュータ６０３にIEEE1394インタフェース６０８を介して接続されたビデオカメラ６０１を備える。
【００３５】
コンピュータ６０３は、ポインティングデバイス６０４、文字入力デバイス６０５、及びコンピュータ画面６０６を備える。ビデオカメラ６０１は、ビデオカメラ画面６０２を備える。
【００３６】
ポインティングデバイス６０４は、コンピュータ画面６０６に表示されたポインティングマークにより、コンピュータ画面６０６内をポインティングするために用いられる。また、ポインティングデバイス６０４は、ポインティングした位置を選択するためのクリックボタン６０９を備える。文字入力デバイス６０５は、文字情報を入力するために用いられる。
【００３７】
コンピュータ６０３では、ビデオカメラ制御プログラムが動作している。このビデオカメラ制御プログラムは、コンピュータ６０３とビデオカメラ６０１との通信制御処理、及びコンピュータ画面１０６上にビデオカメラ画面６０７を表示する後述する図７の画面制御処理を行う。
【００３８】
尚、ビデオカメラ６０１は、IEEE1394インタフェース６０８を介してコンピュータ６０３に接続されているとしたが、これに限定されるものではなく、USBインタフェースを介してコンピュータ６０３に接続されてもよい。
【００３９】
図７は、図６のコンピュータ６０３で実行される画面制御処理の手順を示す図である。
【００４０】
図７において、まず、ビデオカメラ６０１がコンピュータ６０３にIEEE1394インタフェース６０８を介して接続されると、ビデオカメラ６０１は、コンピュータ６０３にビデオカメラ画面６０２の画面サイズ情報を送信する。コンピュータ６０３は、ビデオカメラ６０１から送信されたビデオカメラ画面６０２の画面サイズ情報を受信する。この画面サイズ情報により、コンピュータ画面６０６上に表示すべきビデオ画面６０７のサイズ、及びポインティングデバイス６０４がポインティングすべき範囲が決定される。
【００４１】
次に、コンピュータ６０３は、ビデオカメラ６０１に対して、ビデオカメラ画面６０２の画面データの送信要求を行う。ビデオカメラ６０１は、コンピュータ６０３からの送信要求に応答して、ビデオカメラ画面６０２の画面データをコンピュータ６０１に送信する。
【００４２】
コンピュータ６０３は、ビデオカメラ６０１から送信されたビデオカメラ画面６０２の画面データを受信し、画面サイズ情報及び画面データに基づいてコンピュータ画面６０６上にビデオカメラ画面６０７を表示する。即ち、ビデオカメラ画面６０２、及びコンピュータ画面６０６上のビデオカメラ画面６０７には、同一の映像が表示される。
【００４３】
ポインティングデバイス６０４によりビデオカメラ画面６０７内をポインティングすると、コンピュータ６０３はポインティングデバイス６０４から取得した座標データ及びクリックボタン６０９の状態等のポイント情報を逐次ビデオカメラ６０１に送信する。ビデオカメラ６０１はコンピュータ６０３からポイント情報を受信し、該ポイント情報に含まれる座標データに基づいてビデオカメラ画面６０２内の対応する座標位置にポインティングマークを表示する。また、ビデオカメラ６０１は、受信したポイント情報に含まれるクリックボタン６０９の状態に基づいて、クリックボタン６０９が押下された際のメニュー処理等を行う。
【００４４】
図８は、図６におけるビデオカメラ画面６０２（６０７）を示す図である。
【００４５】
図８において、ビデオカメラ画面６０２（６０７）には、制御メニュー７００が表示されている。この制御メニュー７００では、ビデオカメラ６０１の動作の制御が可能である。例えば、制御メニュー７００において、ポインティングデバイス６０４により再生ボタン７０１をポインティングしてクリックボタン６０９を押下すると、ビデオカメラ６０１はビデオの再生を開始する。また、ポインティングデバイス６０４により停止ボタン３０２をポインティングしてクリックボタン６０９を押下すると、ビデオカメラ６０１はビデオの再生を停止する。また、ポインティングデバイス６０４により録画ボタン７０３をポインティングしてクリックボタン６０９を押下すると、ビデオカメラ６０１はビデオの録画を開始する。
【００４６】
また、制御メニュー７００において、ポインティングデバイス６０４によりカメラタブ７０４をポインティングしてクリックボタン６０９を押下すると、図９に示すように、制御メニュー７００から制御メニュー８００に切り替る。この制御メニュー８００では、カメラモードの設定が可能である。例えば、制御メニュー８００において、ポインティングデバイス６０４により設定スライダー８０１をドラッグすることにより、ビデオカメラ６０１の電子シャッターのスピードを設定することができる。
【００４７】
また、制御メニュー７００において、ポインティングデバイス６０４により全般タブ７０５をポインティングしてクリックボタン６０９を押下すると、図１０に示すように、制御メニュー７００から制御メニュー９００に切り替る。この制御メニュー９００では、ビデオタイトル等の設定が可能である。
【００４８】
例えば、制御メニュー９００には、ビデオタイトルを文字入力可能な文字入力エリア９０１が設けられている。ポインティングデバイス６０４により文字入力エリア９０１をポインティングしてクリックボタン６０９を押下すると、文字入力エリア９０１内のカーソル９０２が点滅し、文字入力モードに入ったことが表示される。この時、ビデオカメラ６０１からコンピュータ６０３に対しても文字入力モードに入ったことが通知される。ユーザが文字入力デバイス６０５を用いて文字情報を入力すると、コンピュータ６０３は、文字入力デバイス６０５を用いて入力された文字情報をビデオカメラ６０１に送信する。ビデオカメラ６０１はコンピュータ６０３から送信された文字情報を受信して、その文字情報をビデオカメラ画面６０２の文字入力エリア９０１に表示すると共に、その文字情報をビデオタイトルの文字として設定する。
【００４９】
第２の実施の形態によれば、コンピュータ６０３はポインティングデバイス６０４から取得した座標データ及びクリックボタン６０９の状態等のポイント情報を逐次ビデオカメラ６０１に送信する。これにより、コンピュータ６０３は、ビデオカメラ画面６０２に表示された制御メニュー７００，８００を用いて、ビデオカメラ６０１の基本的な動作のみならず、カメラモードの設定等のビデオカメラ６０１に固有の機能の設定を遠隔制御することができる。
【００５０】
また、第２の実施の形態によれば、コンピュータ６０３は、文字入力デバイス６０５を用いて入力された文字情報をビデオカメラ６０１に送信する。ビデオカメラ６０１はコンピュータ６０３から送信された文字情報を受信して、その文字情報をビデオカメラ画面６０２の文字入力エリア９０１に表示すると共に、その文字情報をビデオタイトルの文字として設定する。これにより、コンピュータ６０３は、情報機器への文字入力を行うことができる。
【００５１】
尚、制御メニュー７００，８００，９００は、ビデオカメラ画面６０２（６０７）内の所定位置をポインティングしたときにのみ、ビデオカメラ画面６０２（６０７）に自動的に表示させるようにしてもよい。
【００５２】
また、本発明の目的は、前述した各実施の形態の機能を実現するソフトウェアのプログラムコードを記憶した記憶媒体を、システム或いは装置に供給し、そのシステム或いは装置のコンピュータ（またはＣＰＵやＭＰＵ等）が記憶媒体に格納されたプログラムコードを読み出し実行することによっても達成される。
【００５３】
この場合、記憶媒体から読み出されたプログラムコード自体が前述した各実施の形態の機能を実現することになり、そのプログラムコード及び該プログラムコードを記憶した記憶媒体は本発明を構成することになる。
【００５４】
また、プログラムコードを供給するための記憶媒体としては、例えば、フロッピー（登録商標）ディスク、ハードディスク、光磁気ディスク、ＣＤ−ＲＯＭ、ＣＤ−Ｒ、ＣＤ−ＲＷ、ＤＶＤ−ＲＯＭ、ＤＶＤ−ＲＡＭ、ＤＶＤ−ＲＷ、ＤＶＤ＋ＲＷ等の光ディスク、磁気テープ、不揮発性のメモリカード、ＲＯＭ等を用いることができる。または、プログラムコードをネットワークを介してダウンロードしてもよい。
【００５５】
また、コンピュータが読み出したプログラムコードを実行することにより、前述した各実施の形態の機能が実現されるだけではなく、そのプログラムコードの指示に基づき、コンピュータ上で稼動しているＯＳ（オペレーティングシステム）等が実際の処理の一部または全部を行い、その処理によって前述した各実施の形態の機能が実現される場合も含まれる。
【００５６】
さらに、記憶媒体から読み出されたプログラムコードが、コンピュータに挿入された機能拡張ボードやコンピュータに接続された機能拡張ユニットに備わるメモリに書き込まれた後、そのプログラムコードの指示に基づき、その拡張機能を拡張ボードや拡張ユニットに備わるＣＰＵ等が実際の処理の一部または全部を行い、その処理によって前述した各実施の形態の機能が実現される場合も含まれる。
【図面の簡単な説明】
【００５７】
【図１】本発明の第１の実施の形態に係る情報機器制御システムの構成を示す図である。
【図２】図１の情報機器制御システムで実行される画面制御処理の手順を示す図である。
【図３】図２におけるビデオカメラ画面１０２を示す図である。
【図４】図２におけるビデオカメラ画面１０２を示す図である。
【図５】図２におけるビデオカメラ画面１０２を示す図である。
【図６】本発明の第２の実施の形態に係る情報機器制御システムの構成を示す図である。
【図７】図６のコンピュータ６０３で実行される画面制御処理の手順を示す図である。
【図８】図６におけるビデオカメラ画面６０２（６０７）を示す図である。
【図９】図６におけるビデオカメラ画面６０２（６０７）を示す図である。
【図１０】図６におけるビデオカメラ画面６０２（６０７）を示す図である。
【符号の説明】
【００５８】
１０１  ビデオカメラ
１０２  ビデオカメラ画面
１０３  コンピュータ
１０４  ポインティングデバイス
１０５  文字入力デバイス
１０６  コンピュータ画面
１０７  仮想ビデオカメラ画面
【図１】
2008010932.tif 000003
【図２】
2008010932.tif 000004
【図３】
2008010932.tif 000005
【図４】
2008010932.tif 000006
【図５】
2008010932.tif 000007
【図６】
2008010932.tif 000008
【図７】
2008010932.tif 000009
【図８】
2008010932.tif 000010
【図９】
2008010932.tif 000011
【図１０】
2008010932.tif 000012